(57)【要約】【課題】オーバードライブ処理及び他の処理を行うことができ、かつ、フレームメモリを低減することができる技術が求められていた。【解決手段】本開示によれば、フレームメモリに格納された入力画像に基づいて、第１のオーバードライブ処理を行う第１の処理と、入力画像に基づいて、第２のオーバードライブ処理及び第２のオーバードライブ処理以外の他の処理を行う第２の処理と、を行う画像処理部を備える、画像処理装置が提供される。【選択図】図１
2014002304.tif 000002
【特許請求の範囲】
【請求項１】
フレームメモリに格納された入力画像に基づいて、第１のオーバードライブ処理を行う第１の処理と、前記入力画像に基づいて、第２のオーバードライブ処理及び前記第２のオーバードライブ処理以外の他の処理を行う第２の処理と、を行う画像処理部を備える、画像処理装置。
【請求項２】
前記画像処理部は、前記他の処理として、前記入力画像の状態を変換する処理を行う、請求項１記載の画像処理装置。
【請求項３】
前記画像処理部は、前記入力画像の状態を変換する処理として、前記入力画像の伝送レートを変換する処理を行う、請求項２記載の画像処理装置。
【請求項４】
前記画像処理部は、前記入力画像の状態を変換する処理として、前記入力画像の伝送レートを大きくし、かつ、前記入力画像と黒画像とを交互に出力する処理を行う、請求項３記載の画像処理装置。
【請求項５】
前記画像処理部は、前記入力画像の状態を変換する処理として、前記入力画像の伝送レートを大きくし、かつ、前記入力画像の一部の画素を黒マスクする処理を行う、請求項３記載の画像処理装置。
【請求項６】
前記入力画像は、第１の入力画像と第２の入力画像とに区分され、
前記画像処理部は、前記第１の入力画像中の前記黒マスクの位置と、前記第２の入力画像中の前記黒マスクの位置とが互いに異なるように、前記黒マスクの位置を決定する、請求項５記載の画像処理装置。
【請求項７】
前記画像処理部は、前記他の処理として、前記入力画像の伝送レートを大きくする処理を行う一方、前記第２のオーバードライブ処理として、加速用オーバードライブ処理と、安定化用オーバードライブ処理とを行う、請求項１記載の画像処理装置。
【請求項８】
前記画像処理部は、フレームメモリに格納された入力画像の特性に基づいて、前記第１の処理及び前記第２の処理のいずれの処理を実行するかを決定する、請求項１記載の画像処理装置。
【請求項９】
前記画像処理部は、フレームメモリに格納された入力画像が２Ｄ画像である場合に、前記第１の処理を行い、フレームメモリに格納された入力画像が３Ｄ画像である場合に、前記第２の処理を行う、請求項８記載の画像処理装置。
【請求項１０】
前記画像処理部は、前記第１のオーバードライブ処理と、前記第２のオーバードライブ処理とを互いに異なるルックアップテーブルに基づいて行う、請求項１記載の画像処理装置。
【請求項１１】
前記第２のオーバードライブ処理で使用されるルックアップテーブルは、前記第１のオーバードライブ処理で使用されるルックアップテーブルよりも小さい、請求項１０記載の画像処理装置。
【請求項１２】
フレームメモリに格納された入力画像に基づいて、第１のオーバードライブ処理を行う第１の処理と、前記入力画像に基づいて、第２のオーバードライブ処理及び前記第２のオーバードライブ処理以外の他の処理を行う第２の処理と、を行うことを含む、画像処理方法。
【請求項１３】
コンピュータに、
フレームメモリに格納された入力画像に基づいて、第１のオーバードライブ処理を行う第１の処理と、前記入力画像に基づいて、第２のオーバードライブ処理及び前記第２のオーバードライブ処理以外の他の処理を行う第２の処理と、を行う画像処理機能を実現させる、プログラム。
【発明の詳細な説明】
【技術分野】
【０００１】
本開示は、画像処理装置、画像処理方法、及びプログラムに関する。
【背景技術】
【０００２】
特許文献１〜４は、入力画像をオーバードライブ処理する技術を開示する。オーバードライブ処理は、フレームメモリを用いて行われる。
【先行技術文献】
【特許文献】
【０００３】
【特許文献１】特開２００６−３４３７０６号公報
【特許文献２】特開２００８−９３９１号公報
【特許文献３】特開２００８−２９２９０５号公報
【特許文献４】特開２００８−９２２７号公報
【発明の概要】
【発明が解決しようとする課題】
【０００４】
ところで、フレームメモリはオーバードライブ処理以外の他の処理にも使用される場合があるが、特許文献１〜４は、このような場合にフレームメモリの数（容量）を何ら低減することができなかった。このため、オーバードライブ処理及び他の処理を行うことができ、かつ、フレームメモリを低減することができる技術が求められていた。
【課題を解決するための手段】
【０００５】
本開示によれば、フレームメモリに格納された入力画像に基づいて、第１のオーバードライブ処理を行う第１の処理と、入力画像に基づいて、第２のオーバードライブ処理及び第２のオーバードライブ処理以外の他の処理を行う第２の処理と、を行う画像処理部を備える、画像処理装置が提供される。
【０００６】
本開示によれば、フレームメモリに格納された入力画像に基づいて、第１のオーバードライブ処理を行う第１の処理と、入力画像に基づいて、第２のオーバードライブ処理及び第２のオーバードライブ処理以外の他の処理を行う第２の処理と、を行うことを含む、画像処理方法が提供される。
【０００７】
本開示によれば、コンピュータに、フレームメモリに格納された入力画像に基づいて、第１のオーバードライブ処理を行う第１の処理と、入力画像に基づいて、第２のオーバードライブ処理及び第２のオーバードライブ処理以外の他の処理を行う第２の処理と、を行う画像処理機能を実現させる、プログラムが提供される。
【０００８】
本開示によれば、画像処理装置は、フレームメモリを用いて第１の処理及び第２の処理を行うことができる。
【発明の効果】
【０００９】
以上説明したように本開示によれば、画像処理装置は、フレームメモリを用いて第１の処理及び第２の処理を行うことができる。ここで、第２の処理はオーバードライブ処理及び他の処理を含む。したがって、本開示によれば、画像処理装置は、オーバードライブ処理及び他の処理を行うことができ、かつ、フレームメモリを低減することができる。
【図面の簡単な説明】
【００１０】
【図１】本開示の第１の実施形態に係る画像処理装置の構成を示すブロック図である。
【図２】同実施形態に係るオーバードライブ処理部の構成を示すブロック図である。
【図３】第１のルックアップテーブルの構成を示す説明図である。
【図４】入力画像のフレームメモリへの入力タイミング及び入力画像のフレームメモリからの出力タイミングを示すタイミングチャートである。
【図５】第２のルックアップテーブルの構成を示す説明図である。
【図６】入力画像の階調と表示素子の積分輝度との対応関係を示すグラフである。
【図７】画像処理装置による処理の手順を示すフローチャートである。
【図８】本開示の第２の実施形態に係るタイミングコントローラの構成を示すブロック図である。
【図９】第３のルックアップテーブルの構成を示す説明図である。
【図１０】黒マスク処理を行ったＬＲ画像の一例を示す説明図である。
【図１１】黒マスク処理を行ったＬＲ画像の一例を示す説明図である。
【図１２】黒マスク処理を行ったＬＲ画像の一例を示す説明図である。
【図１３】黒マスク処理を行わない場合のＬＲ画像の例を示す説明図である。
【図１４】入力画像のフレームメモリへの入力タイミングと出力画像の出力タイミングとを示すタイミングチャートである。
【図１５】ある表示素子の光学応答（表示輝度）と各時刻との対応関係を示すグラフである。
【図１６】補正出力画像を構成する画素の輝度と各時刻との対応関係を示すグラフである。
【図１７】画像処理装置による処理の手順を示すフローチャートである。
【図１８】ホールドぼやけ等への対策を行わない画像処理装置の構成を示すブロック図である。
【図１９】オーバードライブ処理部の構成を示すブロック図である。
【図２０】ルックアップテーブルの構成を示す説明図である。
【図２１】ホールドぼやけを説明するための説明図である。
【図２２】ホールドぼやけを説明するための説明図である。
【図２３】ホールドぼやけを説明するための説明図である。
【図２４】ホールドぼやけを説明するための説明図である。
【図２５】ホールドぼやけを説明するための説明図である。
【図２６】ホールドぼやけを説明するための説明図である。
【図２７】ＬＲ画像のフレームメモリへの入力タイミングを示す説明図である。
【図２８】データ信号が表示パネル内を伝播する様子を示す説明図である。
【図２９】ＬＲ画像表示中のクロストークについて説明する説明図である。
【図３０】ホールドぼやけ等への対策を行う画像処理装置の構成を示すブロック図である。
【図３１】入力画像を倍速化したときの様子を示す説明図である。
【図３２】ホールドぼやけが改善される様子を説明する説明図である。
【図３３】クロストークが改善される様子を説明する説明図である。
【図３４】ＬＲ画像を分離して表示する処理を説明するタイミングチャートである。
【図３５】Ｌ画像を示す説明図である。
【図３６】Ｒ画像を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．液晶表示パネルの特性に関する考察
２．第１の実施形態（黒挿入を行う例）
２−１．画像処理装置の構成
２−２．画像処理装置による処理の手順
３．第２の実施形態（ＬＲ画像を分離する例）
３−１．画像処理装置の構成
３−２．画像処理装置による処理の手順
【００１３】
＜１．液晶表示パネルの特性に関する考察＞
本発明者は、液晶表示パネルの特性、特にホールドぼやけ及びクロストーク（逆目）に関する考察を行い、この結果、本実施形態に係る画像処理装置に想到するに至った。そこで、まず、本発明者が行った考察について説明する。なお、以下の説明で、「表示輝度」は、表示素子が実際に表示する輝度を示し、「輝度」は、画像が有する輝度データを示す。
【００１４】
図１８は、液晶表示パネル１３０を備える画像処理装置１００の構成を示す。画像処理装置１００は、タイミングコントローラ１１０と、フレームメモリ１２０と、液晶表示パネル１３０とを備える。タイミングコントローラ１１０は、オーバードライブ処理部１１１と、タイミングジェネレータ部１１２とを備える。図１９は、オーバードライブ処理部１１１の構成を示す。オーバードライブ処理部１１１は、ルックアップテーブル（ＬＵＴ）処理部１１１ａを備える。
【００１５】
ＬＵＴ処理部１１１ａは、図２０に示すルックアップテーブルに基づいて、オーバードライブ処理を行う。オーバードライブ処理は、前フレームの輝度と現フレームの輝度との差分を大きくすることで、液晶表示パネル１３０の応答速度を早める処理である。例えば、現フレームの入力画像の輝度が前フレームの入力画像の輝度よりも大きい場合、オーバードライブ処理部１１１は、現フレームの入力画像の輝度を大きくする。オーバードライブ処理は、入力画像の画素ごとに行われる。
【００１６】
ルックアップテーブルは、前フレームの入力画像の輝度（（Ｎ−１）フレームデータ）と、現フレームの入力画像の輝度（Ｎフレームデータ）と、オーバードライブ処理後の輝度との対応関係を示す。例えば、前フレームの入力画像の輝度が「０」となり、現フレームの入力画像の輝度が「９６」となる場合、現フレームの入力画像の輝度は、オーバードライブ処理によって「１３６」まで増加する。
【００１７】
具体的には、液晶表示パネルに表示される入力画像は、ＬＵＴ処理部１１１ａ及びフレームメモリ１２０に入力される。ＬＵＴ処理部１１１ａは、フレームメモリ１２０から前フレームの入力画像を取得する。そして、ＬＵＴ処理部１１１ａは、取得した前フレームの入力画像、現フレームの入力画像、及びルックアップテーブルに基づいて、オーバードライブ処理を行う。ＬＵＴ処理部１１１ａは、オーバードライブ処理後の入力画像を出力画像としてタイミングジェネレータ部１１２に出力する。タイミングジェネレータ部１１２は、出力画像を所定のタイミングで液晶表示パネル１３０に出力する。液晶表示パネル１３０は、出力画像を表示する。
【００１８】
このような液晶表示パネル１３０が出力画像として２Ｄ動画を表示する場合、いわゆるホールドぼやけが発生する。ホールドぼやけの例を図２１に示す動画に基づいて説明する。この動画では、鉛直方向に伸びる白線１４０が左方向に移動する。背景は黒画像となっている。各フレームにおける白線１４０の位置は図２２〜図２５に示される。なお、以下の説明では、液晶表示パネルの水平方向をｘ軸とし、鉛直方向をｙ軸とする。
【００１９】
この動画において、図２６に示すように、表示素子１５０ａ〜１５０ｄで構成される領域１５０に着目する。表示素子は、入力画像の各画素を表示するものである。時刻ｔ１〜ｔ２のフレームでは、表示素子１５０ａ〜１５０ｄは全て黒を表示する。時刻ｔ２〜ｔ３のフレームでは、表示素子１５０ｄが白を表示し、表示素子１５０ａ〜１５０ｃは黒を表示する。時刻ｔ３〜ｔ４のフレームでは、表示素子１５０ｃ、１５０ｄが白を表示し、表示素子１５０ａ、１５０ｂは黒を表示する。時刻ｔ４〜ｔ５のフレームでは、表示素子１５０ｂ〜１５０ｄが白を表示し、画素１５０ａは黒を表示する。
【００２０】
一方、ユーザの視線は、例えば直線Ｌ１、Ｌ２に沿って移動する。直線Ｌ１は、白画素の上端を追う視線の遷移を示し、直線Ｌ２は、白画素の下端を追う視線の遷移を示す。すなわち、ユーザが白線１４０の境界を視認する場合、ユーザの視線は直線Ｌ１と直線Ｌ２との間を遷移する。また、グラフＬ３は、液晶表示パネル１３０のｘ座標とユーザが認識する輝度との対応関係を示す。また、画像１６０はユーザが視認する具体的な画像を示す。このように、ユーザにとっては、白線１４０の境界（直線Ｌ１と直線Ｌ２との間の領域）がぼやけて見える。
【００２１】
このようなホールドぼやけは、液晶表示パネル１３０がホールド型表示を行うことに起因するものである。すなわち、液晶表示パネル１３０は、各フレームで同じ入力画像を表示し続ける一方、ユーザは、動画の動きを予想して視線を移動させる。したがって、動画の表示位置とユーザの視線との間にずれが生じる。言い換えれば、ユーザは、白線１４０の境界を追っているつもりでも、ユーザの視線は、白線１４０の境界に一致しない。さらに、ユーザは、各時点での輝度を積算して認識する。このため、ホールドぼやけが発生する。
【００２２】
また、液晶表示パネル１３０が出力画像として３Ｄ画像を表示する場合、いわゆるクロストークが発生する。ここで、３Ｄ画像は、Ｌ画像（ユーザの左目によって視認される画像）ＬＸ（Ｘは整数）とＲ画像（ユーザの右目によって視認される画像）ＲＸ（Ｘは整数）とで構成される。すなわち、図２７に示すように、液晶表示パネル１３０には、出力画像としてＬ画像ＬＸとＲ画像ＲＸとが交互に入力される。具体的には、時刻ｔ１、ｔ３、ｔ５に、Ｌ画像Ｌ０、Ｌ１、Ｌ２がそれぞれ液晶表示パネル１３０に入力され、時刻ｔ２、ｔ４に、Ｒ画像Ｒ０、Ｒ１がそれぞれ液晶表示パネル１３０に入力される。一方、ユーザは、左目用メガネと右目用メガネとを着用する。左目用メガネは、Ｌ画像ＬＸの表示中に開口し、右目用メガネは、Ｒ画像ＲＸの表示中に開口する。
【００２３】
クロストークの例を図２８及び図２９に基づいて説明する。図２８に示すように、液晶表示パネル１３０には、出力画像に対応するデータ信号がデータドライバから入力される。矢印１３０ａは、データ信号の流れを示す。すなわち、データ信号は、液晶表示パネル１３０の上端の行から入力され、順次下段の行に流れていく。したがって、上端の行にデータ信号が入力される時刻と下端の行にデータ信号が入力される時刻との間にはタイムラグが発生する。
【００２４】
例えば、図２９に示すように、Ｌ画像Ｌ０に対応するデータ信号は、時刻ｔ１に液晶表示パネル１３０の上端の行に入力される。このデータ信号は、時刻ｔ１よりも遅い時刻ｔ１’に下端の行に入力される。同様に、Ｒ画像Ｒ０に対応するデータ信号は、時刻ｔ２に液晶表示パネル１３０の上端の行に入力される。このデータ信号は、時刻ｔ２よりも遅い時刻ｔ２’に下端の行に入力される。以下同様に、Ｌ画像Ｌ１、Ｒ画像Ｒ１、Ｌ画像Ｌ２に対応するデータ信号は、時刻ｔ３、ｔ４、ｔ５に液晶表示パネル１３０の上端の行に入力される。これらデータ信号は、時刻ｔ３、ｔ４、ｔ５よりも遅い時刻ｔ３’、ｔ４’、ｔ５’に下端の行に入力される。グラフＬ４は、上端の行を構成する表示素子の応答波形（時刻と表示輝度との対応関係）を示し、グラフＬ５は、下端の行を構成する表示素子の応答波形を示す。
【００２５】
この例において、データ信号が液晶表示パネル１３０の中央部に到達するタイミングで各メガネを開口することを想定する。この例では、Ｌ画像Ｌ０に対応するデータ信号が液晶表示パネル１３０の中央部に到達する時刻ｔ２ａで左目用メガネの開口が開始され、時刻ｔ２ｂで左目用メガネが閉口する。以下同様に、時刻ｔ４ａ〜ｔ４ｂ、ｔ６ａ〜ｔ６ｂで左目用メガネが開口し、時刻ｔ３ａ〜ｔ３ｂ、ｔ５ａ〜ｔ５ｂで右用メガネが開口する。
【００２６】
これらの時刻のうち、左目用メガネの開口時である時刻ｔ２ａ〜ｔ２ｂに着目すると、液晶表示パネル１３０の上端の行では、出力画像がＬ画像Ｌ０からＲ画像Ｒ０に切り替わる。一方、液晶表示パネル１３０の下端の行では、表示素子の応答が開始されたばかりである。このため、ユーザは、上端の行ではＲ画像ＲＸを視認してしまう。また、ユーザは、下端の行では、不鮮明なＬ画像ＬＸを視認してしまう。他の開口時でも同様の現象が発生する。この現象がいわゆるクロストークである。
【００２７】
上記のホールドぼやけ及びクロストークを低減する画像処理装置として、図３０に示す画像処理装置２００が提案されている。画像処理装置２００は、画像処理装置１００のタイミングコントローラ１１０をタイミングコントローラ２１０に置き換え、さらに、フレームメモリ２２０を追加したものである。
【００２８】
タイミングコントローラ２１０は、オーバードライブ処理部１１１及びタイミングジェネレータ部１１２の前段に倍速部（倍速回路）２１１及び黒挿入部２１２を追加したものである。入力画像は、まず、フレームメモリ２２０に所定の入力レート（例えば６０Ｈｚ）で入力される。倍速部２１１は、入力レートの倍の出力レート（例えば１２０Ｈｚ）でフレームメモリ２２０から入力画像を取得する。そして、倍速部２１１は、入力画像を黒挿入部２１２に出力する。なお、倍速部２１１は、同じ入力画像を２フレームずつ黒挿入部２１２に出力する。
【００２９】
黒挿入部２１２は、入力画像を１フレーム毎に黒画像（全画素が黒となる画像）に置き換える。これにより、黒挿入部２１２は、入力画像に黒画像を挿入する。黒挿入部２１２は、入力画像と黒画像とを交互にオーバードライブ処理部１１１に出力する。オーバードライブ処理部１１１、１１２は、上記と同様の処理を行う。これにより、出力画像及び黒画像が入力レートの倍の出力レートで液晶表示パネル１３０に入力される。
【００３０】
画像処理装置２００によりホールドぼやけが低減される様子を図３１及び図３２に基づいて説明する。この例でも、図２１に示すように、白線１４０が左方向に移動する。また、領域１５０に着目している。図３１は、出力画像の出力レートが倍となり、かつ、同じ出力画像が２フレームずつ出力される例を示す。例えば、時刻ｔ１１〜ｔ１２、ｔ１２〜ｔ１３、ｔ１３〜ｔ１４の各時間にそれぞれ１フレーム分の出力画像が表示される。また、時刻ｔ１１〜ｔ１２、ｔ１２〜ｔ１３、ｔ１３〜ｔ１４は、時刻ｔ１〜ｔ２、ｔ２〜ｔ３、ｔ３〜ｔ４の半分の長さである。
【００３１】
この例でも、液晶表示パネル１３０のｘ座標とユーザが認識する輝度との対応関係はグラフＬ３で示される。ユーザが視認する具体的な画像は画像１６０となる。したがって、単に出力画像のレートを倍にし、かつ、同じ出力画像を２フレームずつ出力しただけでは、ホールドぼやけは解消しない。
【００３２】
一方、図３２は、画像処理装置２００から出力される出力画像及び黒画像を示す。ユーザの視線は、例えば直線Ｌ１’、Ｌ２’に沿って移動する。直線Ｌ１’は、白画素の上端を追う視線の遷移を示し、直線Ｌ２’は、白画素の下端を追う視線の遷移を示す。また、グラフＬ７は、液晶表示パネル１３０のｘ座標とユーザが認識する輝度との対応関係を示す。また、画像１７０はユーザが視認する具体的な画像を示す。このように、出力画像の出力レートを入力画像の入力レートの倍にし、かつ、黒画像を出力画像に挿入することで、ホールドぼやけが低減される。なお、出力画像の出力レートを入力レートの倍にしたのは、黒画像挿入によるフリッカの発生を抑制するためである。
【００３３】
次に、画像処理装置２００によりクロストークが低減される様子を図３３に基づいて説明する。図３３に示すように、Ｌ画像Ｌ０に対応するデータ信号は、時刻ｔ１１に液晶表示パネル１３０の上端の行に入力される。このデータ信号は、時刻ｔ１１よりも遅い時刻ｔ１１’に下端の行に入力される。同様に、Ｒ画像Ｒ０に対応するデータ信号は、時刻ｔ１３に液晶表示パネル１３０の上端の行に入力される。このデータ信号は、時刻ｔ１３よりも遅い時刻ｔ１３’に下端の行に入力される。以下同様に、Ｌ画像Ｌ１、Ｒ画像Ｒ１、Ｌ画像Ｌ２に対応するデータ信号は、時刻ｔ１５、ｔ１７、ｔ１９に液晶表示パネル１３０の上端の行に入力される。これらデータ信号は、時刻ｔ１５、ｔ１７、ｔ１９よりも遅い時刻ｔ１５’、ｔ１７’、ｔ１９’に下端の行に入力される。黒画像は、時刻ｔ１２〜ｔ１３、ｔ１４〜ｔ１５、ｔ１６〜ｔ１７、ｔ１８〜ｔ１９、ｔ２０〜ｔ２１に挿入される。グラフＬ８は、上端の行を構成する表示素子の応答波形を示し、グラフＬ９は、下端の行を構成する表示素子の応答波形を示す。
【００３４】
この例において、データ信号が液晶表示パネル１３０の中央部に到達するタイミングで各メガネを開口することを想定する。この例では、Ｌ画像Ｌ０に対応するデータ信号が液晶表示パネル１３０の中央部に到達する時刻ｔ１２ａで左目用メガネの開口が開始され、時刻ｔ１２ｂで左目用メガネが閉口する。以下同様に、時刻ｔ１６ａ〜ｔ１６ｂ、ｔ２０ａ〜ｔ２０ｂで左目用メガネが開口し、時刻ｔ１４ａ〜ｔ１４ｂ、ｔ１８ａ〜ｔ１８ｂで右用メガネが開口する。
【００３５】
これらの時刻のうち、左目用メガネの開口時である時刻ｔ１２ａ〜ｔ１２ｂに着目すると、液晶表示パネル１３０の上端の行では、Ｌ画像Ｌ０から黒画像に切り替わるが、黒画像はユーザの視聴にほとんど影響を与えない。すなわち、ユーザは、実質的にＬ画像Ｌ０のみを視認することができる。一方、液晶表示パネル１３０の下端の行では、表示素子の応答がかなり進んでいる。このため、ユーザは、上端の行及び下端の行で、Ｌ画像ＬＸを鮮明に視認することができる。したがって、クロストークが低減される。
【００３６】
また、画像処理装置２００は、クロストークを低減しつつ、ＬＲ画像を分離することもできる。ここで、ＬＲ画像を分離するとは、例えば、ＬＲ画像を別々のユーザに視認させることを意味する。
【００３７】
具体的な処理を図３４〜図３６に基づいて説明する。まず、倍速部２１１は、入力画像であるＬ画像ＬＸ、Ｒ画像ＲＸを入力レートの倍の出力レートで２フレームずつ黒挿入部２１２に出力する。黒挿入部２１２は、黒画像をＬ画像ＬＸ、Ｒ画像ＲＸに挿入する代わりに、以下の処理を行う。すなわち、黒挿入部２１２は、Ｌ画像ＬＸの一部の画素を黒画素（黒マスク）に置き換えることで、Ｌ画像ＬＸ’を生成する。同様に、黒挿入部２１２は、Ｒ画像ＲＸの一部の画素を黒画素に置き換えることで、Ｒ画像ＲＸ’を生成する。ここで、Ｌ画像ＬＸ’中の黒画素の位置と、Ｒ画像ＲＸ’中の黒画素の位置とは互いに異なる。黒挿入部２１２は、生成したＬ画像ＬＸ’、Ｒ画像ＲＸ’を２フレームずつ交互にオーバードライブ処理部１１１に出力する。オーバードライブ処理部１１１及びタイミングジェネレータ部１１２は、上記と同様の処理を行う。これにより、例えば時刻ｔ１１、ｔ１２でＬ画像Ｌ０’が液晶表示パネル１３０に出力され、時刻ｔ１３、ｔ１４でＲ画像Ｒ０’が液晶表示パネル１３０に出力される。一方、あるユーザ（一のユーザ）が着用するメガネは、Ｌ画像ＬＸ’の出力タイミングで開口し、他のユーザが着用するメガネは、Ｒ画像ＲＸ’の出力タイミングで開口する。これにより、画像処理装置２００は、ＬＲ画像を別々のユーザに視認させることができる。また、液晶表示パネル１３０のある表示素子に着目すると、この表示素子は、Ｌ画素（Ｌ画像ＬＸ’を構成する画素）及び黒画素を２フレームずつ交互に表示する。一方、他の表示素子は、例えば、Ｒ画素（Ｒ画像ＲＸ’を構成する画素）及び黒画素を２フレームずつ交互に表示する。したがって、いずれの表示素子も、Ｌ画像ＬＸ’及びＲ画像ＲＸ’のいずれか一方を表示する。これにより、クロストークが低減される。
【００３８】
しかし、画像処理装置２００は、ホールドぼやけ及びクロストークを低減することができるが、フレームメモリの数が画像処理装置１００よりも増加している。このため、画像処理装置２００は構成が複雑になり、かつ、製造コストが増大する。その一方、本発明者は、画像処理装置２００の構成について鋭意検討したところ、オーバードライブ処理部１１１に接続されたフレームメモリ１２０は不要であることを見出した。
【００３９】
例えば、オーバードライブ処理部１１１に入力画像と黒画像とが交互に入力される（以下、このような処理を「倍速黒挿入処理」とも称する）場合に着目すると、前フレームが入力画像で現フレームが黒画像となる場合、オーバードライブ処理部１１１は、オーバードライブ処理を行うことができない。この場合、黒画像の輝度は入力画像よりも輝度が低いので、理論的には黒画像の輝度を低くすることになるが、黒画像の輝度はすでに最低値となるので、これ以上輝度を低くすることはできない。したがって、前フレームである入力画像をフレームメモリ１２０に格納しても、オーバードライブ処理部１１１は、当該入力画像に基づいてオーバードライブ処理を行うことはできない。
【００４０】
一方、前フレームが黒画像となり、現フレームが入力画像となる場合、黒画像は常に全画素が黒であるので、オーバードライブ処理部１１１は、前フレームである黒画像を参照する必要はない。すなわち、オーバードライブ処理部１１１は、図２０に示すルックアップテーブルのうち、枠Ａで囲まれた部分、すなわち前フレームの輝度が「０」となる部分と、現フレームの入力画像とがあれば、入力画像のオーバードライブ処理を行うことができる。以上により、フレームメモリ１２０に前フレームの画像を格納する必要がないので、フレームメモリ１２０は不要である。
【００４１】
一方、オーバードライブ処理部１１１にＬ画像ＬＸ’、Ｒ画像ＲＸ’が交互に入力される（以下、このような処理を「ＬＲ分離処理」とも称する）場合に着目すると、これらの画像の各画素は黒及びＬ画素（またはＲ画素）が交互に繰り返される。したがって、この場合であっても、フレームメモリ１２０に前フレームの画像を格納する必要がないので、フレームメモリ１２０は不要である。
【００４２】
このように、画像処理装置２００は、オーバードライブ処理以外の他の処理（ここでは倍速黒挿入処理及びＬＲ分離処理）を行うことができるが、フレームメモリを複数必要としていた。また、特許文献１〜４に開示された技術では、フレームメモリを用いてオーバードライブ処理以外の他の処理を行う場合に、フレームメモリの数（容量）を何ら低減することができなかった。その一方、本発明者は、画像処理装置２００の構成について鋭意検討したところ、オーバードライブ処理部１１１に接続されたフレームメモリ１２０は不要であることを見出した。
【００４３】
そこで、本発明者は、オーバードライブ処理及び他の処理を行うことができ、かつ、フレームメモリを低減することができる技術について検討を重ね、この結果、本実施形態に係る画像処理装置に想到した。以下、各実施形態に係る画像処理装置について説明する。
【００４４】
＜２．第１の実施形態＞
（画像処理装置の構成）
次に、図１〜図６に基づいて、第１の実施形態に係る画像処理装置１０の構成について説明する。画像処理装置１０は、タイミングコントローラ（画像処理部）２０と、フレームメモリ３０と、液晶表示パネル４０とを備える。なお、画像処理装置１０は、液晶表示パネル４０の他、ＣＰＵ、ＲＯＭ、ＲＡＭ、ハードディスク等のハードウェア構成を備える。ＲＯＭには、画像処理装置１０にタイミングコントローラ２０及びフレームメモリ３０を実現させるためのプログラムが記録されている。ＣＰＵは、ＲＯＭに記録されているプログラムを読み取って実行する。これにより、タイミングコントローラ２０及びフレームメモリ３０が実現される。
【００４５】
オーバードライブ処理部２１は、図２に示すように、オーバードライブ処理部２１は、第１ＬＵＴ処理部２１ａと、第２ＬＵＴ処理部２１ｂと、選択部２１ｃとを備える。入力画像は、所定の入力レート（例えば６０Ｈｚ）で第１ＬＵＴ処理部２１ａ及びフレームメモリ３０に入力される。入力画像は、２Ｄ画像または３Ｄ画像となる。３Ｄ画像は、Ｌ画像ＬＸ（第１の入力画像）及びＲ画像ＲＸ（第２の入力画像）で構成され、Ｌ画像ＬＸ及びＲ画像ＲＸが交互に第１ＬＵＴ処理部２１ａ及びフレームメモリ３０に入力される。
【００４６】
第１ＬＵＴ処理部２１ａは、倍速を行わない第１の処理を行う。具体的には、第１ＬＵＴ処理部２１ａは、フレームメモリ３０から前フレームの入力画像を取得する。そして、第１ＬＵＴ処理部２１ａは、前フレームの入力画像、現フレームの入力画像、及び図３に示す第１ルックアップテーブルに基づいて、オーバードライブ処理（第１のオーバードライブ処理）を行う。オーバードライブ処理の詳細は上述した通りである。例えば、現フレームの入力画像の輝度が前フレームの入力画像の輝度よりも大きい場合、第１ＬＵＴ処理部２１ａは、現フレームの入力画像の輝度を大きくする。オーバードライブ処理は、入力画像の画素ごとに行われる。第１ＬＵＴ処理部２１ａは、オーバードライブ処理後の入力画像を出力画像として選択部２１ｃの第１ゲート（「０」ゲート）に出力する。出力画像の出力レートは入力画像の入力レートに一致する。
【００４７】
第１ルックアップテーブルは、前フレームの入力画像の輝度（（Ｎ−１）フレームデータ）と、現フレームの入力画像の輝度（Ｎフレームデータ）と、オーバードライブ処理後の輝度との対応関係を示す。例えば、前フレームの入力画像の輝度が「０」となり、現フレームの入力画像の輝度が「９６」となる場合、現フレームの入力画像の輝度は、オーバードライブ処理によって「１３６」まで増加する。なお、第１ルックアップテーブルは、タイミングコントローラ２０が記憶していても良いし、ネットワーク上から取得するようにしてもよい。後述する第２及び第３ルックアップテーブルについても同様である。
【００４８】
第２ＬＵＴ処理部２１ｂは、オーバードライブ処理及び倍速黒挿入処理（第２の処理）を行う。具体的には、第２ＬＵＴ処理部２１ｂは、図４に示すように、フレームメモリ３０からの入力画像の取得と黒画像の生成とを、入力レートの倍のレート（例えば１２０Ｈｚ）で交互に行う。具体的には、時刻ｔ２１に、入力画像ＩＮ１のフレームメモリ３０への入力が開始され、時刻ｔ２２に、入力画像ＩＮ１のフレームメモリ３０への入力が終了する。このときの入力レートは時間ｔａで示される。入力レートが６０Ｈｚとなる場合、ｔａ＝１／６０（ｓ）となる。
【００４９】
そして、時刻ｔ２２からインターバル期間ｔｂが経過した時刻ｔ２３に、入力画像ＩＮ１のフレームメモリ３０への入力が開始される。時刻ｔ２３から時間ｔａが経過した時刻ｔ２４に、入力画像ＩＮ２のフレームメモリ３０への入力が終了する。以下同様に、入力画像ＩＮ３〜ＩＮ５は、時刻ｔ２５〜ｔ２６、ｔ２７〜ｔ２８、ｔ２９〜ｔ３０の各時間に入力される。時刻ｔ２４〜ｔ２５、ｔ２６〜ｔ２７、ｔ２８〜ｔ２９がインターバル期間ｔｂとなる。
【００５０】
そして、第２ＬＵＴ処理部２１ｂは、時刻ｔ２１よりも遅い時刻ｔ３１から入力画像ＩＮ１の取得を開始し、入力レートの倍のレートで取得を終了する。具体的には、第２ＬＵＴ処理部２１ｂは、時刻ｔ３１よりも時間ｔｃ（＝ｔａ／２）経過後の時刻ｔ３２で取得を終了する。ここで、時刻ｔ３２は、入力画像ＩＮ１の入力が終了する時刻ｔ２２よりも遅い必要がある。したがって、時刻ｔ２１から時刻ｔ３１までの時間は、ｔａ／２よりも長い。
【００５１】
そして、第２ＬＵＴ処理部２１ｂは、時刻ｔ３２からインターバル期間ｔｄ（＝ｔｂ／２）が経過した時刻ｔ３３に、黒画像の生成を開始し、時刻ｔ３３から時間ｔｃ経過した時刻ｔ３４に黒画像の生成を終了する。そして、第２ＬＵＴ処理部２１ｂは、時刻ｔ３４からインターバル期間ｔｄが経過した時刻ｔ３５に、入力画像ＩＮ２の取得を開始し、時刻ｔ３５から時間ｔｃ経過した時刻ｔ３６に入力画像ＩＮ２の取得を終了する。以下同様に、第２ＬＵＴ処理部２１ｂは、時刻ｔ３９〜ｔ４０、ｔ４３〜ｔ４４、ｔ４７〜ｔ４８の各時間に入力画像ＩＮ３〜ＩＮ５を取得する。一方、第２ＬＵＴ処理部２１ｂは、時刻ｔ３７〜ｔ３８、ｔ４１〜ｔ４２、ｔ４５〜ｔ４６、ｔ４９〜ｔ５０の各時間に、黒画像を生成する。これにより、第２ＬＵＴ処理部２１ｂは、倍速黒挿入処理を行う。なお、第２ＬＵＴ処理部２１ｂは、これ以外のレートで入力画像の取得及び黒画像の生成を行ってもよい。
【００５２】
さらに、第２ＬＵＴ処理部２１ｂは、入力画像と、図５に示す第２ルックアップテーブル（ＬＵＴ２）とに基づいて、オーバードライブ処理（第２のオーバードライブ処理）を行う。オーバードライブ処理は、入力画像の画素ごとに行われる。また、上述したように、現フレームが黒画像となる場合、オーバードライブ処理は行われないので、第２ＬＵＴ処理部２１ｂは、現フレームが入力画像となる場合（前フレームが黒画像となる場合）に、オーバードライブ処理を行う。第２ＬＵＴ処理部２１ｂは、オーバードライブ処理後の入力画像及び黒画像を出力画像として選択部２１ｃの第２ゲート（「１」ゲート）に交互に出力する。出力画像の出力レートは入力画像の入力レートの倍になる。
【００５３】
第２ルックアップテーブルは、前フレームの入力画像の輝度（（Ｎ−１）フレームデータ）と、現フレームの入力画像の輝度（Ｎフレームデータ）と、オーバードライブ処理後の輝度との対応関係を示す。ここで、第２ＬＵＴ処理部２１ｂは、前フレームが黒画像である場合にオーバードライブ処理を行う。このため、第２ルックアップテーブルは、前フレームの輝度が「０」となる場合（（Ｎ−１）フレームデータ＝０）に対応するデータのみで構成される。
【００５４】
第１ルックアップテーブルのうち、「（Ｎ−１）フレームデータ＝０」に対応するデータと第２ルックアップテーブルとを比較すると、第２ルックアップテーブルの方がオーバードライブ処理後の輝度が大きい。この理由を図６に基づいて説明する。グラフＬ１０は、第１ＬＵＴ処理部２１ａからの出力画像の階調と積分輝度との対応関係を示す。ここで、積分輝度は、表示輝度を所定時間で積分した値である。この積分輝度は、ユーザが認識する輝度に略一致する。なお、第２ＬＵＴ処理部２１ｂは、第２ルックアップテーブルを使用する代わりに、第１ルックアップテーブルのデータを変更して使用してもよい。
【００５５】
グラフＬ１１は、第２ＬＵＴ処理部２２ａからの出力画像の階調と積分輝度との対応関係を示す。グラフＬ１２は、第２ＬＵＴ処理部２２ａが第１ルックアップテーブルに基づいてオーバードライブ処理を行った場合に出力される出力画像の階調と積分輝度との対応関係を示す。
【００５６】
グラフＬ１１、Ｌ１２が示す積分輝度は、グラフＬ１０が示す積分輝度のほぼ半分になる。第２ＬＵＴ処理部２１ｂから出力される出力画像は、１フレーム毎に黒画像となるためである。また、グラフＬ１２が示す積分輝度は、グラフＬ１１が示す積分輝度よりも特に低階調側で低い。したがって、第２ＬＵＴ処理部２２ａが第１ルックアップテーブルに基づいてオーバードライブ処理を行った場合、出力画像が低階調側でつぶれる可能性がある。そこで、第１の実施形態では、第２ＬＵＴ処理部２１ｂは、第２ルックアップテーブルに基づいて、オーバードライブ処理を行う。
【００５７】
もちろん、第２ＬＵＴ処理部２１ｂは、第１ルックアップテーブルに基づいて、オーバードライブ処理を行ってもよい。例えば、入力画像に低階調の画素が多く含まれない場合等のように、低階調側でのつぶれを考慮する必要が小さい場合も考えられる。この場合、第２ＬＵＴ処理部２１ｂは、第１ルックアップテーブルに基づいて、オーバードライブ処理を行ってもよい。
【００５８】
選択部２１ｃは、第１ゲート及び第２ゲートを有する。そして、選択部２１ｃは、第１ＬＵＴ処理部２１ａ及び第２ＬＵＴ処理部２１ｂのうち、いずれかを起動する。第１ＬＵＴ処理部２１ａ及び第２ＬＵＴ処理部２１ｂは、起動された場合に、上記の処理を行う。そして、選択部２１ｃは、第１ゲートまたは第２ゲートから入力された出力画像をタイミングジェネレータ部２２に出力する。ここで、起動の判断基準としては、まず、ユーザによる選択が挙げられる。すなわち、選択部２１ｃは、ユーザにより選択されたＬＵＴ処理部を起動する。
【００５９】
他の判断基準としては、入力画像が３Ｄか否かが挙げられる。すなわち、選択部２１ｃは、入力画像が２Ｄ画像となる場合、第１ＬＵＴ処理部２１ａを起動する。一方、選択部２１ｃは、入力画像が３Ｄ画像となる場合、第２ＬＵＴ処理部２１ｂを起動する。このように選択部２１ｃが判定するのは、以下の理由による。
【００６０】
すなわち、入力画像が２Ｄ画像となり、かつ、第２ＬＵＴ処理部２１ｂが起動された場合、例えば図３２に示すように、ユーザは、１フレーム毎に黒画像を視認する。このため、ユーザは、フリッカを認識する可能性がある。このようなフリッカは、出力画像の出力レートを上げることで低減可能である。しかし、第１ＬＵＴ処理部２１ａから出力される出力画像は、そもそも黒画像を含んでいない。したがって、フリッカを低減するという観点からは、第１ＬＵＴ処理部２１ａが起動されることが好ましい。
【００６１】
一方、入力画像が３Ｄ画像となり、かつ、第２ＬＵＴ処理部２１ｂが起動された場合、例えば図３３に示すように、ユーザは、黒画像を視認することはほとんどない。黒画像の表示中は、ユーザのメガネが閉口しているからである。したがって、ユーザがフリッカを認識することはほとんどない。一方、出力画像が１フレーム毎に黒画像となることで、クロストークが低減される。したがって、第２ＬＵＴ処理部２１ｂが起動されることが好ましい。以上の理由により、選択部２１ｃは、入力画像が３Ｄか否かに基づいて、起動対象となるＬＵＴ処理部を決定する。
【００６２】
なお、上記の処理が行われる場合、ユーザは、ホールドぼやけを認識する可能性がある。そこで、本実施形態では、選択部２１ｃは、出力画像が２Ｄ画像となる場合であっても、ユーザによる選択により、第１ＬＵＴ処理部２１ａを起動可能とした。
【００６３】
タイミングジェネレータ部２２は、出力画像を所定のタイミング（すなわち、入力画像の入力レートの倍の出力レート）で液晶表示パネル４０に出力する。液晶表示パネル４０は、出力画像を表示する。具体的には、液晶表示パネル４０には、例えば図３２、図３３に示す出力画像が表示される。
【００６４】
（３−２．画像処理装置による処理の手順）
次に、画像処理装置１０による処理の手順を図７に示すフローチャートに沿って説明する。なお、入力画像は、所定の入力レートで第１ＬＵＴ処理部２１ａ及びフレームメモリ３０に入力されるものとする。
【００６５】
ステップＳ５において、第１ＬＵＴ処理部２１ａ及びフレームメモリ３０への入力画像の入力が開始される。ステップＳ１０において、選択部２１ｃは、入力画像が３Ｄ画像か否かを判定する。選択部２１ｃは、入力画像が２Ｄ画像となる場合には、ステップＳ２０に進み、入力画像が３Ｄ画像となる場合には、ステップＳ４０に進む。
【００６６】
ステップＳ２０において、選択部２１ｃは、第１ＬＵＴ処理部２１ａを起動する。すなわち、この場合、フレームメモリは前フレーム（（Ｎ−１）フレームデータ）を参照するために使用される。
【００６７】
ステップＳ３０において、第１ＬＵＴ処理部２１ａは、倍速を行わない第１の処理を行う。具体的には、第１ＬＵＴ処理部２１ａは、フレームメモリ３０から前フレームの入力画像を取得し、前フレームの入力画像、現フレームの入力画像、及び図３に示す第１ルックアップテーブルに基づいて、オーバードライブ処理を行う。第１ＬＵＴ処理部２１ａは、オーバードライブ処理後の入力画像を出力画像として選択部２１ｃの第１ゲートに出力する。選択部２１ｃは、第１ゲートに入力された出力画像をタイミングジェネレータ部２２に出力する。その後、画像処理装置１０は、ステップＳ７０に進む。
【００６８】
ステップＳ４０において、選択部２１ｃは、第２ＬＵＴ処理部２１ｂを起動する。すなわち、この場合、フレームメモリは倍速黒挿入処理に使用される。
【００６９】
ステップＳ５０において、第２ＬＵＴ処理部２１ｂは、倍速黒挿入処理を行う。具体的には、第２ＬＵＴ処理部２１ｂは、例えば図４に示すように、入力画像の取得と黒画像の生成とを入力レートの倍のレートで交互に行う。すなわち、第２ＬＵＴ処理部２１ｂは、１フレームごとに黒画像を生成し、入力画像の間に挿入する。
【００７０】
ステップＳ６０において、第２ＬＵＴ処理部２１ｂは、入力画像と、図５に示す第２ルックアップテーブル（ＬＵＴ２）とに基づいて、オーバードライブ処理を行う。オーバードライブ処理は、入力画像の画素ごとに行われる。また、上述したように、現フレームが黒画像となる場合、オーバードライブ処理は行われないので、第２ＬＵＴ処理部２１ｂは、現フレームが入力画像となる場合（前フレームが黒画像となる場合）に、オーバードライブ処理を行う。第２ＬＵＴ処理部２１ｂは、オーバードライブ処理後の入力画像及び黒画像を出力画像として選択部２１ｃの第２ゲートに交互に出力する。出力画像の出力レートは入力画像の入力レートの倍になる。選択部２１ｃは、第２ゲートに入力された出力画像をタイミングジェネレータ部２２に出力する。その後、画像処理装置１０は、ステップＳ７０に進む。
【００７１】
ステップＳ７０において、タイミングジェネレータ部２２は、出力画像を所定のタイミング（選択部２１ｃから与えられた出力画像の出力レート）で液晶表示パネル４０に出力する。液晶表示パネル４０は、出力画像を表示する。具体的には、液晶表示パネル４０には、例えば図３２、図３３に示す出力画像が表示される。
【００７２】
以上により、第１の実施形態では、画像処理装置１０は、フレームメモリ３０を用いて、第１の処理と、第２の処理とを行う。ここで、第２の処理は、オーバードライブ処理及び他の処理（ここでは倍速黒挿入処理）を含む。したがって、画像処理装置１０は、オーバードライブ処理及び他の処理を行うことができ、かつ、フレームメモリを低減することができる。
【００７３】
さらに、画像処理装置１０は、他の処理として、入力画像の状態を変換する処理を行うので、オーバードライブ処理及び入力画像の状態を変換する処理を行うことができ、かつ、フレームメモリを低減することができる。
【００７４】
ここで、画像処理装置１０は、入力画像の状態を変換する処理として、入力画像の伝送レートを変換する処理（第１の実施形態では伝送レートが倍になる）を行う。したがって、画像処理装置１０は、オーバードライブ処理及び入力画像の伝送レートを変換する処理を行うことができ、かつ、フレームメモリを低減することができる。
【００７５】
さらに、画像処理装置１０は、倍速黒挿入処理を行うので、オーバードライブ処理及び倍速黒挿入処理を行うことができ、かつ、フレームメモリを低減することができる。
【００７６】
さらに、画像処理装置１０は、第１の処理のオーバードライブ処理と、第２の処理のオーバードライブ処理とを互いに異なるルックアップテーブルに基づいて行うので、各オーバードライブ処理を効率的に行うことができる。
【００７７】
さらに、第２のオーバードライブ処理で使用される第２ルックアップテーブルは、第１のオーバードライブ処理で使用される第１ルックアップテーブルよりも小さいので、画像処理装置１０は、各オーバードライブ処理を効率的に行うことができる。
【００７８】
＜３．第２の実施形態＞
（３−１．画像処理装置の構成）
次に、第２の実施形態に係る画像処理装置１０の構成について説明する。第２の実施形態に係る画像処理装置１０は、第１の実施形態のタイミングコントローラ２０を図８に示すタイミングコントローラ５０に置き換えたものである。
【００７９】
タイミングコントローラ５０は、第１ＬＵＴ処理部５０ａと、第２ＬＵＴ処理部５０ｂと、第３ＬＵＴ処理部５０ｃと、第１選択部５０ｄと、第２選択部５０ｅとを備える。入力画像（２Ｄ画像または３Ｄ画像）は、所定の入力レート（例えば１２０Ｈｚ）で第１ＬＵＴ処理部５０ａ及びフレームメモリ３０に入力される。第１ＬＵＴ処理部５０ａは第１ＬＵＴ処理部と同様の処理を行う。第１ＬＵＴ処理部５０ａからの出力画像は、第１選択部５０ｄの第１ゲート（「０」ゲート）に入力される。
【００８０】
第２ＬＵＴ処理部５０ｂは、加速用オーバードライブ処理及びＬＲ分離処理（第２の処理）を行う。具体的には、第２ＬＵＴ処理部５０ｃは、まず、入力レートの倍の出力レート（例えば２４０Ｈｚ）でフレームメモリ３０から入力画像（Ｌ画像ＬＸまたはＲ画像ＲＸ）を取得する。なお、ＬＲ分離処理は、例えば、Ｌ画像ＬＸとＲ画像ＲＸとを別々のユーザに視認させるために行われる。したがって、Ｌ画像ＬＸとＲ画像ＲＸとは、３Ｄ画像を構成するものでなくてもよい。例えば、それぞれの画像は全く関係のない２Ｄ画像であってもよい。
【００８１】
また、第２の実施形態の出力レートは、第１の実施形態よりも高いことが好ましい。第２の実施形態では、黒画素が２フレーム連続で表示されるので、出力レートが低いとフリッカが発生する可能性が高くなるからである。
【００８２】
そして、第２ＬＵＴ処理部５０ｂは、Ｌ画像ＬＸの一部の画素を黒画素（黒マスク）に置き換えることで、Ｌ画像ＬＸ−１を生成する。同様に、第２ＬＵＴ処理部５０ｂは、Ｒ画像ＲＸの一部の画素を黒画素に置き換えることで、Ｒ画像ＲＸ−１を生成する。ここで、Ｌ画像ＬＸ−１中の黒画素の位置と、Ｒ画像ＲＸ−１中の黒画素の位置とは互いに異なる。したがって、液晶表示パネル４０の各表示素子は、Ｌ画素及び黒画素を交互に表示するか、または、Ｒ画素及び黒画素を交互に表示する。言い換えれば、各表示素子は、Ｌ画素及びＲ画素のうち、いずれか一方を表示する。これにより、第２ＬＵＴ処理部５０ｂは、ＬＲ分離処理を行う。
【００８３】
さらに、第２ＬＵＴ処理部５０ｂは、生成した第１のＬＲ画像（Ｌ画像ＬＸ−１またはＲ画像ＲＸ−１）と、第２ルックアップテーブル（ＬＵＴ２）とに基づいて、加速用オーバードライブ処理を行う。加速用オーバードライブ処理は、第１のＬＲ画像の画素ごとに行われる。ここで、加速用オーバードライブ処理は、後述する安定化用オーバードライブ処理よりもＬ画素またはＲ画素の輝度を大きくする処理である。これにより、第２ＬＵＴ処理部５０ｂは、液晶表示パネル４０の応答速度を大きくすることができる。
【００８４】
また、黒画素には加速用オーバードライブ処理は行われないので、第２ＬＵＴ処理部５０ｂは、現フレームの第１のＬＲ画像のうち、Ｌ画素またはＲ画素に対して加速用オーバードライブ処理を行う。また、現フレームでＬ画素またはＲ画素となる画素は、前フレームの第１のＬＲ画像では必ず黒画素となる。したがって、第２ＬＵＴ処理部５０ｂは、第２ルックアップテーブルに基づいて加速用オーバードライブ処理を行うことができる。
【００８５】
第２ＬＵＴ処理部５０ｂは、加速用オーバードライブ処理後の第１のＬＲ画像を第１の出力画像として第２選択部５０ｅの第１ゲート（「０」ゲート）に出力する。第１の出力画像の出力レートは入力画像の入力レートの倍になる。また、第１の出力画像は、第１の補正Ｌ画像ＬＸ−１’または第１の補正Ｒ画像ＲＸ−１’で構成される。なお、第２ＬＵＴ処理部５０ｂは、第２ＬＵＴ処理部２１ｂと同様の処理を行うこともできる。
【００８６】
第３ＬＵＴ処理部５０ｃは、安定化用オーバードライブ処理及びＬＲ分離処理（第２の処理）を行う。具体的には、第３ＬＵＴ処理部５０ｃは、まず、入力レートの倍の出力レート（例えば２４０Ｈｚ）でフレームメモリ３０から入力画像（Ｌ画像ＬＸまたはＲ画像ＲＸ）を取得する。
【００８７】
そして、第３ＬＵＴ処理部５０ｃは、Ｌ画像ＬＸの一部の画素を黒画素に置き換えることで、Ｌ画像ＬＸ−２を生成する。同様に、第３ＬＵＴ処理部５０ｃは、Ｒ画像ＲＸの一部の画素を黒画素に置き換えることで、Ｒ画像ＲＸ−２を生成する。ここで、Ｌ画像ＬＸ−２中の黒画素の位置と、Ｒ画像ＲＸ−２中の黒画素の位置とは互いに異なる。これにより、第２ＬＵＴ処理部５０ｂは、ＬＲ分離処理を行う。なお、Ｌ画像ＬＸ−１とＬ画像ＬＸ−２とは同じ画像であり、Ｒ画像ＲＸ−１とＲ画像ＲＸ−２とは同じ画像である。
【００８８】
さらに、第３ＬＵＴ処理部５０ｃは、生成した第２のＬＲ画像（Ｌ画像ＬＸ−２またはＲ画像ＲＸ−２）と、図９に示す第３ルックアップテーブル（ＬＵＴ３）とに基づいて、安定化用オーバードライブ処理を行う。安定化用オーバードライブ処理は、第２のＬＲ画像の画素ごとに行われる。ここで、安定化用オーバードライブ処理は、液晶表示パネル４０の輝度を安定させるための処理である。
【００８９】
また、黒画素には安定化用オーバードライブ処理は行われないので、第３ＬＵＴ処理部５０ｃは、現フレームの第２のＬＲ画像のうち、Ｌ画素またはＲ画素に対して加速用オーバードライブ処理を行う。第３ＬＵＴ処理部５０ｃは、安定化用オーバードライブ処理後の第２のＬＲ画像を第２の出力画像として第２選択部５０ｅの第２ゲート（「１」ゲート）に出力する。第２の出力画像の出力レートは入力画像の入力レートの倍になる。また、第２の出力画像は、第２の補正Ｌ画像ＬＸ−２’または第２の補正Ｒ画像ＲＸ−２’で構成される。
【００９０】
第３ルックアップテーブルは、前フレームの入力画像（第２のＬＲ画像）の輝度（（Ｎ−１）フレームデータ）と、現フレームの入力画像（第２のＬＲ画像）の輝度（Ｎフレームデータ）と、オーバードライブ処理後の輝度との対応関係を示す。ここで、現フレームでＬ画素またはＲ画素となる画素は、前フレームの第２のＬＲ画像では必ず黒画素となる。このため、第３ルックアップテーブルは、前フレームの輝度が「０」となる場合（（Ｎ−１）フレームデータ＝０）に対応するデータのみで構成される。
【００９１】
また、第３ルックアップテーブルに記録されるオーバードライブ処理後の輝度は、第２ルックアップテーブルに記録されるオーバードライブ処理後の輝度よりも小さい。これにより、第３ＬＵＴ処理部５０ｃは、第３ルックアップテーブルに基づいて、安定化用オーバードライブ処理を行うことができる。なお、第３ＬＵＴ処理部５０ｃは、第３ルックアップテーブルを使用する代わりに、第１ルックアップテーブルまたは第２ルックアップテーブルのデータを変更して使用してもよい。
【００９２】
ここで、第１のＬＲ画像及び第２のＬＲ画像の例を図１０〜図１２に示す。また、比較のために、ＬＲ分離処理が行われずに出力される出力画像の例を図９に示す。図中、「Ｒ」は赤色画素、「Ｂ」は青色画素、「Ｇ」は緑色画素を示す。図１０に示す例では、黒画素が市松状に分布している。図１１に示す例では、黒画素がライン状に分布している。図１２に示す例では、互いに隣接する２つの黒画素からなる黒画素ペアが市松状に分布している。いずれの例でも、Ｌ画像ＬＸ−１、２中の黒画素の位置と、Ｒ画像ＲＸ−１、２中の黒画素の位置とは互いに異なっている。
【００９３】
第１選択部５０ｄは、第１ゲート及び第２ゲートを有する。そして、第１選択部５０ｄは、第１ＬＵＴ処理部５０ａと、第２ＬＵＴ処理部５０ｂ及び第３ＬＵＴ処理部５０ｃとのうち、いずれかを起動する。第１ＬＵＴ処理部５０ａ〜第３ＬＵＴ処理部５０ｃは、起動された場合に、上記の処理を行う。そして、第１選択部５０ｄは、第１ゲートまたは第２ゲートから入力された出力画像をタイミングジェネレータ部２２に出力する。ここで、起動の判断基準は、第１の実施形態と同様である。タイミングジェネレータ部２２は、第１選択部５０ｄから与えられた出力画像を所定のタイミング（すなわち、入力画像の入力レートの倍のレート）で液晶表示パネル４０に出力する。
【００９４】
第２選択部５０ｅは、第１ゲート及び第２ゲートを有する。第２選択部５０ｅは、第１ゲートから与えられた第１の出力画像と第２ゲートから与えられた第２の出力画像とを連結し、第１選択部５０ｄの第２ゲートに出力する。具体的には、第２選択部５０ｅは、第１の補正Ｌ画像ＬＸ−１’と第２の補正Ｌ画像ＬＸ−２’とを連結して第１選択部５０ｄの第２ゲートに出力し、第１の補正Ｒ画像ＲＸ−１’と第２の補正Ｒ画像ＲＸ−２’とを連結して第１選択部５０ｄの第２ゲートに出力する。
【００９５】
図１４に、入力画像がフレームメモリ３０に入力されるタイミングと、第２選択部５０ｅが出力画像を出力するタイミングとを対比して示す。図１４に示すように、時刻ｔ２１に、Ｌ画像Ｌ０のフレームメモリ３０への入力が開始され、時刻ｔ２２に、Ｌ画像Ｌ０のフレームメモリ３０への入力が終了する。このときの入力レートは時間ｔａで示される。入力レートが６０Ｈｚとなる場合、ｔａ＝１／６０（ｓ）となる。
【００９６】
そして、時刻ｔ２２からインターバル期間ｔｂが経過した時刻ｔ２３に、Ｒ画像Ｒ０のフレームメモリ３０への入力が開始される。時刻ｔ２３から時間ｔａが経過した時刻ｔ２４に、Ｒ画像Ｒ０のフレームメモリ３０への入力が終了する。以下同様に、Ｌ画像Ｌ１、Ｒ画像Ｒ１、Ｌ画像Ｌ２がそれぞれ時刻ｔ２５〜ｔ２６、ｔ２７〜ｔ２８、ｔ２９〜ｔ３０の各時間に入力される。時刻ｔ２４〜ｔ２５、ｔ２６〜ｔ２７、ｔ２８〜ｔ２９がインターバル期間ｔｂとなる。
【００９７】
そして、第２選択部５０ｅは、時刻ｔ２１よりも遅い時刻ｔ６０から第１補正Ｌ画像Ｌ０−１’の出力を開始し、入力レートの倍のレートで出力を終了する。具体的には、第２選択部５０ｅは、時刻ｔ６０よりも時間ｔｃ（＝ｔａ／２）経過後の時刻ｔ６１で出力を終了する。ここで、時刻ｔ６１は、Ｌ画像Ｌ０の入力が終了する時刻ｔ２２よりも遅い必要がある。したがって、時刻ｔ２１から時刻ｔ６０までの時間は、ｔａ／２よりも長い。
【００９８】
そして、第２選択部５０ｅは、引き続き第２補正Ｌ画像Ｌ０−２’の出力を開始し、時刻ｔ６１から時間ｔｃ経過した時刻ｔ６２に第２補正Ｌ画像Ｌ０−２’の出力を終了する。そして、第２選択部５０ｅは、時刻ｔ６２からインターバル期間ｔｂが経過した時刻ｔ６３に、第１補正Ｒ画像Ｒ０−１’の出力を開始し、時刻ｔ６３よりも時間ｔｃ経過後の時刻ｔ６４で出力を終了する。そして、第２選択部５０ｅは、引き続き第２補正Ｒ画像Ｒ０−２’の出力を開始し、時刻ｔ６４から時間ｔｃ経過した時刻ｔ６５に第２補正Ｒ画像Ｒ０−２’の出力を終了する。
【００９９】
以下同様に、第２選択部５０ｅは、時刻ｔ６６〜ｔ６７、ｔ７２〜ｔ７３の各時間に第１補正Ｌ画像Ｌ１−１’、Ｌ２−１’を出力し、時刻ｔ６７〜ｔ６８、ｔ７３〜ｔ７４の各時間に第２補正Ｌ画像Ｌ１−２’、Ｌ２−２’を出力する。また、第２選択部５０ｅは、時刻ｔ６９〜ｔ７０の時間に第１補正Ｒ画像Ｒ１−１’を出力し、時刻ｔ７０〜ｔ７１の時間に第２補正Ｒ画像Ｒ１−２’を出力する。以下、第１補正Ｌ画像ＬＸ−１’、第２補正Ｌ画像ＬＸ−２’、第１補正Ｒ画像ＲＸ−１’、第２補正Ｒ画像ＲＸ−２’を総称して補正出力画像とも称する。上述した説明によれば、補正出力画像中の黒画素の位置は、２フレーム毎に切り替わる。
【０１００】
図１５は、ある表示素子の光学応答（表示輝度）と各時刻との対応関係を示すグラフＬ１０、Ｌ１１を示す。図１５に示すグラフＬ１０は、第２の実施形態による加速用オーバードライブ処理及び安定化用オーバードライブ処理が行われた場合の光学応答を示す。グラフＬ１１は、加速用オーバードライブ処理及び安定化用オーバードライブ処理が行われない場合の光学応答を示す。また、表示素子は、第１補正Ｌ画像ＬＸ−１’、第２補正Ｌ画像ＬＸ−２’を構成する画素として黒画素を表示する。
【０１０１】
図１６は、補正出力画像を構成するある画素の輝度と時間との対応関係を示すグラフである。この画素は図１５の表示素子に対応している。図１６中、「Ｌ０−１’」、「Ｌ１−１’」は、それぞれ第１補正Ｌ画像Ｌ０−１’、Ｌ１−１’の輝度を示す。「Ｌ０−２’」、「Ｌ１−２’」は、それぞれ第２補正Ｌ画像Ｌ０−２’、Ｌ１−２’の輝度を示す。図１６の画素は、第１補正Ｌ画像Ｌ０−１’、Ｌ１−１’及び第２補正Ｌ画像Ｌ０−２’、Ｌ１−２’の黒画素を構成するので、輝度は「０」になる。
【０１０２】
図１６中、「Ｒ０−１」、「Ｒ１−１」は、それぞれ第１補正Ｒ画像Ｒ０−１’、Ｒ１−１’の補正前の輝度（すなわち、Ｒ画像Ｒ０、Ｒ１の輝度）を示す。「Ｒ０−２」、「Ｒ１−２」は、それぞれ第２補正Ｒ画像Ｒ０−２’、Ｒ１−２’の補正前の輝度を示す。「ＬＵＴ２」は、加速用オーバードライブ処理によってＲ画像Ｒ０、Ｒ１の輝度に上乗せされる輝度を示し、「ＬＵＴ３」は、安定化用オーバードライブ処理によってＲ画像Ｒ０、Ｒ１の輝度に上乗せされる輝度を示す。したがって、例えば、「Ｒ０−１」の輝度に「ＬＵＴ２」の輝度を加えた値は、第１補正Ｒ画像Ｒ０−１’の輝度を示す。
【０１０３】
図１５、図１６に示すように、例えば時刻ｔ８２〜ｔ８３の時間では、加速用オーバードライブ処理によって表示素子の応答が加速される。その後、時刻ｔ８３〜ｔ８４の時間では、安定化用オーバードライブ処理によって表示素子の応答が安定する。したがって、グラフＬ１０の値は、グラフＬ１１の値よりも急速に上昇し、かつ、早期に安定化する。
【０１０４】
（３−２．画像処理装置による処理の手順）
次に、画像処理装置１０による処理の手順を図１７に示すフローチャートに沿って説明する。ステップＳ７５において、第１ＬＵＴ処理部５０ａ及びフレームメモリ３０への入力画像の入力が開始される。ステップＳ８０において、第１選択部５０ｄは、入力画像が３Ｄ画像か否かを判定する。第１選択部５０ｄは、入力画像が２Ｄ画像となる場合には、ステップＳ９０に進み、入力画像が３Ｄ画像となる場合には、ステップＳ１１０に進む。
【０１０５】
ステップＳ９０において、第１選択部５０ｄは、第１ＬＵＴ処理部５０ａを起動する。すなわち、この場合、フレームメモリは前フレーム（（Ｎ−１）フレームデータ）を参照するために使用される。
【０１０６】
ステップＳ１００において、第１ＬＵＴ処理部５０ａは、倍速を行わない第１の処理を行う。具体的な処理は第１の実施形態のステップＳ３０と同様である。その後、画像処理装置１０は、ステップＳ１７０に進む。
【０１０７】
ステップＳ１１０において、第１選択部５０ｄは、第２ＬＵＴ処理部５０ｂを起動する。すなわち、この場合、フレームメモリは倍速処理（倍速黒挿入処理またはＬＲ分離処理）に使用される。
【０１０８】
ステップＳ１２０において、第１選択部５０ｄは、ＬＲ分離処理を行うか否かを決定する。第１選択部５０ｄは、ＬＲ分離処理を行うと決定した場合には、ステップＳ１３０に進み、第１選択部５０ｄは、ＬＲ分離処理を行わないと決定した場合には、第３ＬＵＴ処理部５０ｃをさらに起動し、ステップＳ１５０に進む。
【０１０９】
ステップＳ１３０において、第２ＬＵＴ処理部５０ｂは、倍速黒挿入処理を行う。具体的な処理は第１の実施形態のステップＳ５０と同様である。ステップＳ１４０において、第２ＬＵＴ処理部５０ｂは、入力画像（Ｌ画像ＬＸまたはＲ画像ＲＸ）と、図５に示す第２ルックアップテーブル（ＬＵＴ２）とに基づいて、オーバードライブ処理を行う。具体的な処理は第１の実施形態のステップＳ６０と同様である。その後、画像処理装置１０は、ステップＳ１７０に進む。
【０１１０】
ステップＳ１５０において、第２ＬＵＴ処理部５０ｂ及び第３ＬＵＴ処理部５０ｃは、ＬＲ分離処理を行う。具体的には、第２ＬＵＴ処理部５０ｂ及び第３ＬＵＴ処理部５０ｃは、まず、入力レートの倍の出力レートでフレームメモリ３０から入力画像（Ｌ画像ＬＸまたはＲ画像ＲＸ）を取得する。
【０１１１】
そして、第２ＬＵＴ処理部５０ｂは、Ｌ画像ＬＸの一部の画素を黒画素に置き換えることで、Ｌ画像ＬＸ−１を生成し、Ｒ画像ＲＸの一部の画素を黒画素に置き換えることで、Ｒ画像ＲＸ−１を生成する。ここで、Ｌ画像ＬＸ−１中の黒画素の位置と、Ｒ画像ＲＸ−１中の黒画素の位置とは互いに異なる。
【０１１２】
一方、第３ＬＵＴ処理部５０ｃは、Ｌ画像ＬＸの一部の画素を黒画素に置き換えることで、Ｌ画像ＬＸ−２を生成し、Ｒ画像ＲＸの一部の画素を黒画素に置き換えることで、Ｒ画像ＲＸ−２を生成する。ここで、Ｌ画像ＬＸ−２はＬ画像ＬＸ−１と同じ画像であり、Ｒ画像ＲＸ−２はＲ画像ＲＸ−１と同じ画像である。
【０１１３】
ステップＳ１６０において、第２ＬＵＴ処理部５０ｂは、生成した第１のＬＲ画像（Ｌ画像ＬＸ−１またはＲ画像ＲＸ−１）と、第２ルックアップテーブル（ＬＵＴ２）とに基づいて、加速用オーバードライブ処理を行う。第２ＬＵＴ処理部５０ｂは、加速用オーバードライブ処理後の第１のＬＲ画像を第１の出力画像として第２選択部５０ｅの第１ゲート（「０」ゲート）に出力する。
【０１１４】
一方、第３ＬＵＴ処理部５０ｃは、生成した第２のＬＲ画像（Ｌ画像ＬＸ−２またはＲ画像ＲＸ−２）と、図９に示す第３ルックアップテーブル（ＬＵＴ３）とに基づいて、安定化用オーバードライブ処理を行う。第３ＬＵＴ処理部５０ｃは、安定化用オーバードライブ処理後の第２のＬＲ画像を第２の出力画像として第２選択部５０ｅの第２ゲート（「１」ゲート）に出力する。
【０１１５】
ついで、第２選択部５０ｅは、第１ゲートから与えられた第１の出力画像と第２ゲートから与えられた第２の出力画像とを連結し、第１選択部５０ｄの第２ゲートに出力する。第１選択部５０ｄは、第２ゲートから与えられた出力画像をタイミングジェネレータ部２２に出力する。その後、画像処理装置１０は、ステップＳ１７０に進む。
【０１１６】
ステップＳ１７０において、タイミングジェネレータ部２２は、出力画像を所定のタイミング（第１選択部５０ｄから与えられた出力画像の出力レート）で液晶表示パネル４０に出力する。液晶表示パネル４０は、出力画像を表示する。具体的には、液晶表示パネル４０には、例えば図１１〜図１３、図３２、または図３３に示す出力画像が表示される。
【０１１７】
以上により、第２の実施形態では、画像処理装置１０は、他の処理として、ＬＲ分離処理を行うので、オーバードライブ処理及びＬＲ分離処理を行うことができ、かつ、フレームメモリの数（容量）を低減することができる。
【０１１８】
さらに、画像処理装置１０は、補正Ｌ画像中の黒画素の位置と補正Ｒ画像中の黒画素の位置とが互いに異なるように、黒画素の位置を決定するので、クロストークを低減することができる。
【０１１９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２０】
例えば、上記実施形態では、表示パネルを液晶表示パネルとしたが、本技術はかかる例に限定されない。例えば、ホールド型の表示パネルであれば、本実施形態に係る技術が好適に適用される。ホールド型の表示パネルは、ホールドぼやけ、及びクロストークの問題が発生するからである。もちろん、これら以外の表示パネルに本実施形態に係る技術を適用してもよい。
【０１２１】
また、画像処理装置１０は、他の処理として、入力画像の伝送方式、解像度、及び立体視対応の有無のうち、少なくとも１つを変換する処理を行なってもよい。ここで、入力画像の伝送方式を変換する処理としては、例えばＩＰ変換処理が挙げられる。また、入力画像の立体視対応の有無の変換は、具体的には、２Ｄ、３Ｄ間の相互変換となる。
【０１２２】
また、第２の実施形態では、ＬＲ分離処理が行われる場合に加速用オーバードライブ処理及び安定化用オーバードライブ処理を行ったが、倍速黒挿入処理が行われる場合にもこれらのオーバードライブ処理が行われてもよい。ただし、フリッカを低減するために、出力画像の出力レートを第２の実施形態と同程度とすることが好ましい。
【０１２３】
なお、以下のような構成も本開示の技術的範囲に属する。
（１）
フレームメモリに格納された入力画像に基づいて、第１のオーバードライブ処理を行う第１の処理と、前記入力画像に基づいて、第２のオーバードライブ処理及び前記第２のオーバードライブ処理以外の他の処理を行う第２の処理と、を行う画像処理部を備える、画像処理装置。
（２）
前記画像処理部は、前記他の処理として、前記入力画像の状態を変換する処理を行う、前記（１）記載の画像処理装置。
（３）
前記画像処理部は、前記入力画像の状態を変換する処理として、前記入力画像の伝送レートを変換する処理を行う、前記（２）記載の画像処理装置。
（４）
前記画像処理部は、前記入力画像の状態を変換する処理として、前記入力画像の伝送レートを大きくし、かつ、前記入力画像と黒画像とを交互に出力する処理を行う、前記（３）記載の画像処理装置。
（５）
前記画像処理部は、前記入力画像の状態を変換する処理として、前記入力画像の伝送レートを大きくし、かつ、前記入力画像の一部の画素を黒マスクする処理を行う、前記（３）記載の画像処理装置。
（６）
前記入力画像は、第１の入力画像と第２の入力画像とに区分され、
前記画像処理部は、前記第１の入力画像中の前記黒マスクの位置と、前記第２の入力画像中の前記黒マスクの位置とが互いに異なるように、前記黒マスクの位置を決定する、前記（５）記載の画像処理装置。
（７）
前記画像処理部は、前記他の処理として、前記入力画像の伝送レートを大きくする処理を行う一方、前記第２のオーバードライブ処理として、加速用オーバードライブ処理と、安定化用オーバードライブ処理とを行う、前記（１）〜（６）のいずれか１項に記載の画像処理装置。
（８）
前記画像処理部は、フレームメモリに格納された入力画像の特性に基づいて、前記第１の処理及び前記第２の処理のいずれの処理を実行するかを決定する、前記（１）〜（７）のいずれか１項に記載の画像処理装置。
（９）
前記画像処理部は、フレームメモリに格納された入力画像が２Ｄ画像である場合に、前記第１の処理を行い、フレームメモリに格納された入力画像が３Ｄ画像である場合に、前記第２の処理を行う、前記（８）記載の画像処理装置。
（１０）
前記画像処理部は、前記第１のオーバードライブ処理と、前記第２のオーバードライブ処理とを互いに異なるルックアップテーブルに基づいて行う、前記（１）〜（９）のいずれか１項に記載の画像処理装置。
（１１）
前記第２のオーバードライブ処理で使用されるルックアップテーブルは、前記第１のオーバードライブ処理で使用されるルックアップテーブルよりも小さい、前記（１０）記載の画像処理装置。
（１２）
フレームメモリに格納された入力画像に基づいて、第１のオーバードライブ処理を行う第１の処理と、前記入力画像に基づいて、第２のオーバードライブ処理及び前記第２のオーバードライブ処理以外の他の処理を行う第２の処理と、を行うことを含む、画像処理方法。
（１３）
コンピュータに、
フレームメモリに格納された入力画像に基づいて、第１のオーバードライブ処理を行う第１の処理と、前記入力画像に基づいて、第２のオーバードライブ処理及び前記第２のオーバードライブ処理以外の他の処理を行う第２の処理と、を行う画像処理機能を実現させる、プログラム。
【符号の説明】
【０１２４】
１０              画像処理装置
２０              タイミングコントローラ
２１、５０        オーバードライブ処理部
２１ａ、５０ａ    第１ＬＵＴ処理部
２１ｂ、５０ｂ    第２ＬＵＴ処理部
５０ｃ            第３ＬＵＴ処理部
２２              タイミングジェネレータ部
３０    フレームメモリ
４０    液晶表示パネル
【図１】
2014002304.tif 000003
【図２】
2014002304.tif 000004
【図３】
2014002304.tif 000005
【図４】
2014002304.tif 000006
【図５】
2014002304.tif 000007
【図６】
2014002304.tif 000008
【図７】
2014002304.tif 000009
【図８】
2014002304.tif 000010
【図９】
2014002304.tif 000011
【図１０】
2014002304.tif 000012
【図１１】
2014002304.tif 000013
【図１２】
2014002304.tif 000014
【図１３】
2014002304.tif 000015
【図１４】
2014002304.tif 000016
【図１５】
2014002304.tif 000017
【図１６】
2014002304.tif 000018
【図１７】
2014002304.tif 000019
【図１８】
2014002304.tif 000020
【図１９】
2014002304.tif 000021
【図２０】
2014002304.tif 000022
【図２１】
2014002304.tif 000023
【図２２】
2014002304.tif 000024
【図２３】
2014002304.tif 000025
【図２４】
2014002304.tif 000026
【図２５】
2014002304.tif 000027
【図２６】
2014002304.tif 000028
【図２７】
2014002304.tif 000029
【図２８】
2014002304.tif 000030
【図２９】
2014002304.tif 000031
【図３０】
2014002304.tif 000032
【図３１】
2014002304.tif 000033
【図３２】
2014002304.tif 000034
【図３３】
2014002304.tif 000035
【図３４】
2014002304.tif 000036
【図３５】
2014002304.tif 000037
【図３６】
2014002304.tif 000038